(57)【特許請求の範囲】
【請求項１】
目的地の施設または前記目的地の場所に関連する目的地関連情報を取得する目的地関連情報取得部と、
自車両の現在位置情報を取得する自車位置情報取得部と、
前記目的地関連情報取得部にて取得された前記目的地関連情報と、前記自車位置情報取得部にて取得された前記現在位置情報とに基づき、前記目的地到着時に前記目的地で必要な装備を予測する予測部と、
を備え、
前記予測部は、前記目的地へ向かう途中で前記予測を行い、
外部から外部情報を取得する外部情報取得部をさらに備え、
前記外部情報取得部は、前記外部情報として気象情報を取得し、
前記予測部は、前記目的地に向かう途中で前記目的地の気象状況が変わったときに前記予測を行うことを特徴とする、情報提供システム。
【請求項２】
目的地の場所に関連する目的地関連情報を取得する目的地関連情報取得部と、
自車両の現在位置情報を取得する自車位置情報取得部と、
前記目的地関連情報取得部にて取得された前記目的地関連情報と、前記自車位置情報取得部にて取得された前記現在位置情報とに基づき、前記目的地到着時に前記目的地で必要な装備を予測する予測部と、
を備え、
外部から外部情報を取得する外部情報取得部をさらに備え、
前記外部情報取得部は、前記外部情報として気象情報を取得し、
前記予測部は、前記目的地に向かう途中で前記目的地の気象状況が変わったときに前記予測を行うことを特徴とする、情報提供システム。
【請求項３】
前記目的地の施設に関連する前記目的地関連情報は、前記目的地の到着地点の情報を含み、
前記予測部は、前記目的地の到着地点の情報に基づき、前記目的地到着時に前記目的地で必要な装備を予測することを特徴とする、請求項１または２に記載の情報提供システム。
【請求項４】
前記装備は、服装および持ち物のうちの少なくとも１つであることを特徴とする、請求項１から３のいずれか１項に記載の情報提供システム。
【請求項５】
前記予測部は、前記予測の結果を携帯通信端末に対して通知することを特徴とする、請求項１から４のいずれか１項に記載の情報提供システム。
【請求項６】
前記外部情報取得部は、インフラ設備による配信、車車間通信、および移動体との通信のうちの少なくとも１つから前記気象情報を取得することを特徴とする、請求項１に記載の情報提供システム。
【請求項７】
前記自車両に関する自車両情報を取得する自車両情報取得部をさらに備え、
前記自車両情報取得部は、前記自車両情報として前記自車両の外気温情報を取得し、
前記予測部は、前記外気温情報をも加味して前記予測を行うことを特徴とする、請求項１から６のいずれか１項に記載の情報提供システム。
【請求項８】
（ａ）目的地の施設または前記目的地の場所に関連する目的地関連情報を取得する工程と、
（ｂ）自車両の現在位置情報を取得する工程と、
（ｃ）前記工程（ａ）にて取得された前記目的地関連情報と、前記工程（ｂ）にて取得された前記現在位置情報とに基づき、前記目的地到着時に前記目的地で必要な装備を予測する工程と、
を備え、
前記工程（ｃ）は、前記目的地へ向かう途中で前記予測を行い、
（ｄ）外部から外部情報を取得する工程をさらに備え、
前記工程（ｄ）は、前記外部情報として気象情報を取得し、
前記工程（ｃ）は、前記目的地に向かう途中で前記目的地の気象状況が変わったときに前記予測を行うことを特徴とする、情報提供方法。
【請求項９】
（ａ）目的地の場所に関連する目的地関連情報を取得する工程と、
（ｂ）自車両の現在位置情報を取得する工程と、
（ｃ）前記工程（ａ）にて取得された前記目的地関連情報と、前記工程（ｂ）にて取得された前記現在位置情報とに基づき、前記目的地到着時に前記目的地で必要な装備を予測する工程と、
を備え、
（ｄ）外部から外部情報を取得する工程をさらに備え、
前記工程（ｄ）は、前記外部情報として気象情報を取得し、
前記工程（ｃ）は、前記目的地に向かう途中で前記目的地の気象状況が変わったときに前記予測を行うことを特徴とする、情報提供方法。
【発明の詳細な説明】
【技術分野】
【０００１】
本発明は、目的地到着時に目的地で必要な装備を予測してユーザに通知する情報提供システムおよび情報提供方法に関する。
【背景技術】
【０００２】
従来、外部から取得した天気情報に基づいて、降車時にユーザに対して雨具の持ち出しを促す技術がある。例えば、自車両の現在位置についての天気情報を外部から取得し、ユーザが降車するタイミングにおいて天気情報に基づいて雨具が必要であると判断した場合には、ユーザに対して雨具の携帯を促す通知を行う技術が開示されている（例えば、特許文献１参照）。
【先行技術文献】
【特許文献】
【０００３】
【特許文献１】特開２００５−３４５２９３号公報
【発明の概要】
【発明が解決しようとする課題】
【０００４】
特許文献１では、乗車時に自車両に雨具を持ち込んでいない場合において、降車時に雨具の携帯を促されても雨具がないという状況が生じ得る。また、例えばショッピングモールなどの商業施設では地下駐車場と建物とが直結している場合があり、この場合、降車時に雨具の携帯を促されても実際に雨具を用いることはない。
【０００５】
このように、従来では、必ずしも必要な時に雨具の携帯を通知しているとはいえなかった。また、雨具に限らず、目的地到着時に目的地で必要な身の回りの物（装備）の携帯についてもユーザに通知すれば便利であるが、従来では雨具以外の他の装備については考慮されていなかった。
【０００６】
本発明は、このような問題を解決するためになされたものであり、目的地到着時に目的地で必要な装備について適切な通知を行うことが可能な情報提供システムおよび情報提供方法を提供することを目的とする。
【課題を解決するための手段】
【０００７】
上記の課題を解決するために、本発明による情報提供システムは、目的地の施設または目的地の場所に関連する目的地関連情報を取得する目的地関連情報取得部と、自車両の現在位置情報を取得する自車位置情報取得部と、目的地関連情報取得部にて取得された目的地関連情報と、自車位置情報取得部にて取得された現在位置情報とに基づき、目的地到着時に目的地で必要な装備を予測する予測部とを備え、予測部は、目的地へ向かう途中で予測を行い、外部から外部情報を取得する外部情報取得部をさらに備え、外部情報取得部は、外部情報として気象情報を取得し、予測部は、目的地に向かう途中で目的地の気象状況が変わったときに予測を行う。
【０００８】
また、本発明による情報提供方法は、（ａ）目的地の施設または目的地の場所に関連する目的地関連情報を取得する工程と、（ｂ）自車両の現在位置情報を取得する工程と、（ｃ）工程（ａ）にて取得された目的地関連情報と、工程（ｂ）にて取得された現在位置情報とに基づき、目的地到着時に目的地で必要な装備を予測する工程とを備え、工程（ｃ）は、目的地へ向かう途中で予測を行い、（ｄ）外部から外部情報を取得する工程をさらに備え、工程（ｄ）は、外部情報として気象情報を取得し、工程（ｃ）は、目的地に向かう途中で目的地の気象状況が変わったときに予測を行う。
【発明の効果】
【０００９】
本発明によると、情報提供システムは、目的地の施設または目的地の場所に関連する目的地関連情報を取得する目的地関連情報取得部と、自車両の現在位置情報を取得する自車位置情報取得部と、目的地関連情報取得部にて取得された目的地関連情報と、自車位置情報取得部にて取得された現在位置情報とに基づき、目的地到着時に目的地で必要な装備を予測する予測部とを備え、予測部は、目的地へ向かう途中で予測を行い、外部から外部情報を取得する外部情報取得部をさらに備え、外部情報取得部は、外部情報として気象情報を取得し、予測部は、目的地に向かう途中で目的地の気象状況が変わったときに予測を行うため、目的地到着時に目的地で必要な装備について適切な通知を行うことが可能となる。
【００１０】
また、情報提供方法は、（ａ）目的地の施設または目的地の場所に関連する目的地関連情報を取得する工程と、（ｂ）自車両の現在位置情報を取得する工程と、（ｃ）工程（ａ）にて取得された目的地関連情報と、工程（ｂ）にて取得された現在位置情報とに基づき、目的地到着時に目的地で必要な装備を予測する工程とを備え、工程（ｃ）は、目的地へ向かう途中で予測を行い、（ｄ）外部から外部情報を取得する工程をさらに備え、工程（ｄ）は、外部情報として気象情報を取得し、工程（ｃ）は、目的地に向かう途中で目的地の気象状況が変わったときに予測を行うため、目的地到着時に目的地で必要な装備について適切な通知を行うことが可能となる。
【図面の簡単な説明】
【００１１】
【図１】本発明の実施の形態１による情報提供装置の構成の一例を示すブロック図である。
【図２】本発明の実施の形態１による情報提供装置の構成の他の一例を示すブロック図である。
【図３】本発明の実施の形態１による情報提供装置の動作の一例を示すフローチャートである。
【図４】本発明の実施の形態１による情報提供装置の動作の一例を示す図である。
【図５】本発明の実施の形態１による情報提供装置の動作の他の一例を示す図である。
【図６】本発明の実施の形態１による情報提供装置の動作の他の一例を示す図である。
【図７】本発明の実施の形態２による情報提供装置の構成の一例を示すブロック図である。
【図８】本発明の実施の形態２による情報提供装置の動作の一例を示すフローチャートである。
【図９】本発明の実施の形態３による情報提供装置の構成の一例を示すブロック図である。
【図１０】本発明の実施の形態３による情報提供装置の動作の一例を示すフローチャートである。
【図１１】本発明の実施の形態による情報提供システムの構成の一例を示すブロック図である。
【図１２】本発明の実施の形態による情報提供システムの構成の他の一例を示すブロック図である。
【発明を実施するための形態】
【００１２】
本発明の実施の形態について、図面に基づいて以下に説明する。
【００１３】
＜実施の形態１＞
まず、本発明の実施の形態１による情報提供システムの構成について説明する。なお、本実施の形態および以下の各実施の形態においては、情報提供システムを情報提供装置単体で実現した場合について説明する。
【００１４】
図１は、本実施の形態１による情報提供装置１の構成の一例を示すブロック図である。なお、図１では、情報提供装置１を構成する必要最小限の構成要素を示している。
【００１５】
図１に示すように、情報提供装置１は、少なくとも目的地関連情報取得部２と、自車位置情報取得部３と、予測部４とを備えている。
【００１６】
目的地関連情報取得部２は、目的地の施設または目的地の場所に関連する目的地関連情報を取得する。ここで、目的地の施設とは、ユーザが目的地として設定した施設のことをいい、例えばショッピングモールあるいは遊園地などの商業施設が挙げられる。また、目的地の場所とは、ユーザが目的地として設定した場所（土地）のことをいい、例えば山、海、あるいは川などが挙げられる。
【００１７】
自車位置情報取得部３は、自車両の現在位置情報を取得する。
【００１８】
予測部４は、目的地関連情報取得部２にて取得された目的地関連情報と、自車位置情報取得部３にて取得された現在位置情報とに基づき、目的地到着時に目的地で必要な装備を予測する。ここで、装備としては、傘などの雨具、マフラーやコートなどの防寒具など、ユーザの身の回りの物（服装、持ち物）が挙げられる。
【００１９】
目的地関連情報取得部２、自車位置情報取得部３、および予測部４は、ソフトウェアに基づくＣＰＵ（Central Processing Unit）を用いたプログラム処理を実行することによって実現される。なお、ＣＰＵによる制御の機能は、図１では明示的に図示していないが、後述の図２では制御部８として図示している。
【００２０】
次に、上記の目的地関連情報取得部２、自車位置情報取得部３、および予測部４を含む情報提供装置１の他の構成について説明する。
【００２１】
図２は、情報提供装置５の構成の一例を示すブロック図である。
【００２２】
図２に示すように、情報提供装置５は、目的地関連情報取得部２と、自車位置情報取得部３と、予測部４と、入力部６と、地図情報取得部７と、制御部８と、出力部１０とを備えている。また、制御部８は、探索部９を備えている。
【００２３】
入力部６は、ユーザによる入力操作を受け付ける。ここで、入力部６としては、例えばタッチパネル、ハードキー、音声入力部（例えばマイク）などが挙げられる。また、入力部６は、例えば携帯通信端末など、外部の通信端末で入力された情報を受信する受信部としての機能を有してもよい。
【００２４】
地図情報取得部７は、例えば、ハードディスク（HDD：Hard Disk Drive）あるいは半導体メモリなどの記憶装置から構成されており、地図情報を取得して格納している。ここで、地図情報は、施設情報、場所情報、および駐車場情報などの情報を含んでいる。
【００２５】
なお、地図情報取得部７は、外部から地図情報を取得してもよい。例えば、地図情報取得部７は、地図情報を、外部のサーバなどから通信ネットワークを介してダウンロードすることによって取得してもよい。あるいは、メモリなどの記憶媒体から読み出すことによって取得してもよい。すなわち、地図情報取得部７は、地図情報を取得する機能を有している。
【００２６】
目的地関連情報取得部２は、ユーザ（例えば運転者）が入力部６を介して設定した目的地の施設または目的地の場所に関連する目的地関連情報を、地図情報取得部７から取得する。具体的には、目的地関連情報取得部２は、地図情報取得部７から、目的地である施設に関する情報、目的地である場所に関する情報、あるいは目的地周辺の駐車場情報を取得する。ここで、目的地周辺の駐車場とは、目的地である施設や場所に付随して設けられた駐車場、および目的地である施設や場所の付近に存在する駐車場を含む。また、駐車場情報は、地下駐車場などの駐車場内の地図情報を含む。
【００２７】
自車位置情報取得部３は、自車両の現在位置情報（現在の位置情報）を取得する。具体的には、例えば、ＧＰＳ（Global Positioning System）衛星から自車両の位置情報を取得する。
【００２８】
制御部８は、ソフトウェアに基づくＣＰＵを用いたプログラム処理を実行することによって、各構成要素を制御する。
【００２９】
探索部９は、ユーザが入力部６を介して設定した目的地と、自車位置情報取得部３にて取得された自車両の現在位置（現在地）とに基づいて、現在地から目的地までの経路を探索する。このとき、探索部９は、地図情報取得部７にて取得された地図情報を用いて経路を探索してもよい。
【００３０】
予測部４は、目的地関連情報取得部２にて取得された目的地関連情報と、自車位置情報取得部３にて取得された現在位置情報とに基づいて、ユーザが設定した目的地に到着したときに必要な装備を予測する。具体的には、探索部９による経路の探索結果に基づいて、目的地への到着予定時刻において目的地で必要な装備を予測する。
【００３１】
出力部１０は、予測部４にて予測された結果をユーザに対して通知する。ここで、出力部１０としては、例えば表示部、音声出力部（例えばスピーカ）などが挙げられる。また、出力部１０は、例えば携帯通信端末など、外部の通信端末に対して予測の結果を送信する送信部としての機能を有してもよい。
【００３２】
なお、入力部６と出力部１０とは、一体に構成されてもよく、別個に設けられてもよい。
【００３３】
次に、情報提供装置５の動作について説明する。
【００３４】
図３は、情報提供装置５の動作の一例を示すフローチャートである。
【００３５】
ステップＳ１１において、自車位置情報取得部３は、自車両の現在位置情報を取得する。自車位置情報取得部３にて取得された現在位置情報は、探索部９に出力される。
【００３６】
ステップＳ１２において、制御部８は、入力部６を介してユーザが入力した目的地情報を取得する。制御部８にて取得された目的地情報は、目的地関連情報取得部２および探索部９に出力される。ここで、目的地情報は、上記の目的地の施設の情報、または目的地の場所の情報を含んでいる。
【００３７】
ステップＳ１３において、目的地関連情報取得部２は、制御部８から入力された目的地情報に基づいて、地図情報取得部７から目的地関連情報を取得する。
【００３８】
ステップＳ１４において、予測部４は、目的地関連情報取得部２にて取得された目的地関連情報に基づいて、ユーザが設定した目的地に到着したときに必要な装備を予測する。
【００３９】
ステップＳ１５において、出力部１０は、予測部４にて予測された結果をユーザに対して通知する。
【００４０】
なお、上記の動作において、予測部４にて予測された結果を出力部１０から通知するタイミングとしては、目的地の設定時（出発時）あるいは目的地への到着時であってもよく、任意のタイミング（例えば、目的地に向かう途中）であってもよく、あるいはこれらの組み合わせであってもよい。ここで、目的地への到着時とは、ユーザが自車両から降車する時、自車両が目的地に到着したことを探索部９が判断した時などが挙げられる。また、任意のタイミングで通知する方法としては、ボタン操作あるいは音声操作などユーザが入力部６を介して手動で通知を促してもよく、目的地への到着予定時間が変更になった時などに自動的に通知をするようにしてもよい。
【００４１】
次に、情報提供装置５の具体的な使用例について、図４〜６を用いて説明する。
【００４２】
例えば、図４に示すように、ユーザが「夜景が見たい」と考えて、入力部６を介して「山」を目的地として設定する。予測部４は、目的地関連情報取得部２にて取得された目的地関連情報（ここでは、目的地である「山」に関する情報）に基づいて、目的地に到着したときに必要な装備はマフラーであると予測する。
【００４３】
出力部１０（ここでは、表示部あるいはスピーカ）は、予測部４にて予測された結果を通知する。通知内容としては、例えば、「山頂は気温が低いのでマフラーを持って行かれることをお勧めします。」旨の内容を文字や音声で通知する。あるいは、上記の通知において、「山頂」に代えて「山の展望台」や「目的地」としてもよい。
【００４４】
なお、図４の例では、予測部４にて予測された結果を出力部１０（表示部あるいはスピーカ）から通知している場合を示しているが、例えば図５に示すように、予測部４にて予測された結果を、出力部１０を介して携帯通信端末１１から通知するようにしてもよい。この場合、携帯通信端末１１を介して目的地の設定を行ってもよい。
【００４５】
また、他の例として、図６に示すように、ユーザが「ショッピングがしたい」と考えて、入力部６を介して携帯通信端末１１から「ショッピングモール」を目的地として設定する。ここで、ショッピングモールは、地下駐車場と直結しているものとする。予測部４は、目的地関連情報取得部２にて取得された目的地関連情報（ここでは、目的地である「ショッピングモール」に関する情報、および地下駐車場に関する情報）に基づいて、目的地であるショッピングモールに直結した地下駐車場（目的地の到着地点）に到着したときに傘は不要であると予測する。このとき、予測部４は、自車位置情報取得部３におけるＧＰＳ衛星からの受信状況を加味してもよく、受信状況が悪ければ（例えば、ＧＰＳ衛星からの情報を全く受信できなければ）、自車両が地下駐車場内に存在していると判断してもよい。
【００４６】
なお、図６の例では、出力部１０は、予測部４にて予測された結果の通知を行わないが、傘が不要である旨の通知を行うようにしてもよい。また、図６では携帯通信端末１１から目的地を設定している場合について示しているが、入力部６から目的地を設定してもよい。
【００４７】
以上のことから、本実施の形態１によれば、目的地到着時に目的地で必要な装備について適切な通知を行うことが可能となる。
【００４８】
＜実施の形態２＞
まず、本発明の実施の形態２による情報提供装置の構成について説明する。
【００４９】
図７は、本実施の形態２による情報提供装置１２の構成の一例を示すブロック図である。
【００５０】
図７に示すように、本実施の形態２による情報提供装置１２は、外部情報取得部１３を備えることを特徴としている。その他の構成および動作は、実施の形態１と同様であるため、ここでは説明を省略する。
【００５１】
外部情報取得部１３は、情報提供装置１２の外部から外部情報を取得する。ここで、外部情報は、気象情報、道路交通情報、あるいはインターネット上における目的地の施設や場所に関するホームページの情報などを含む。具体的には、外部情報取得部１３は、サーバやビーコンなどのインフラ設備による配信、車車間通信、あるいは携帯通信端末などの移動体との通信によって外部情報を取得する。
【００５２】
予測部４は、目的地関連情報取得部２にて取得された目的地関連情報と、自車位置情報取得部３にて取得された現在位置情報と、外部情報取得部１３にて取得された外部情報とに基づいて、目的地に到着したときに必要な装備を予測する。
【００５３】
次に、情報提供装置１２の動作について説明する。
【００５４】
図８は、情報提供装置１２の動作の一例を示すフローチャートである。なお、図８のステップＳ２１〜ステップＳ２３，ステップＳ２６は、図３のステップＳ１１〜ステップＳ１３，ステップＳ１５に対応しているため、ここでは説明を省略する。
【００５５】
ステップＳ２４において、外部情報取得部１３は、情報提供装置１２の外部から外部情報を取得する。
【００５６】
ステップＳ２５において、予測部４は、目的地関連情報取得部２にて取得された目的地関連情報と、自車位置情報取得部３にて取得された現在位置情報と、外部情報取得部１３にて取得された外部情報とに基づいて、目的地に到着した時に必要な装備を予測する。
【００５７】
具体的には、例えば外部情報が天気情報である場合において、予測部４は、目的地への到着予定時刻における目的地の天気情報を外部情報取得部１３から取得し、例えば目的地が雨である場合は傘が必要であると予測することができる。
【００５８】
また、駐車場情報を加味すれば、図６に示す通知をより詳細に行うことができる。例えば、目的地到着時に目的地の天気が雨であっても、ショッピングモールと地下駐車場とが直結している場合は傘が不要であるため、ユーザに対して傘の携帯を通知しないか、あるいは傘が不要である旨を通知することができる。また、目的地到着時に目的地の天気が雨であって、かつショッピングモールと地下駐車場とが直結していない場合、あるいはショッピングモールと駐車場とが直結していない場合（すなわち、駐車場とショッピングモールとが離れて位置している場合）は、ユーザに対して傘の携帯を通知することができる。このように、目的地の天気が雨であっても、目的地の施設によって傘が必要であるか否かを詳細に予測することができる。
【００５９】
また、例えば外部情報が天気情報および交通情報である場合において、探索部９は、道路の渋滞状況を加味して経路を探索することができ、渋滞状況に応じて目的地への到着予定時刻が変化する。予測部４は、道路の渋滞状況の変化（すなわち、目的地への到着予定時刻の変化）によって目的地の気象状況が変わった場合にユーザに通知することができる。例えば、出発時に目的地の天気は晴れであるため傘は不要であると予測していたとしても、目的地に向かう途中で目的地の天気が雨となったため傘が必要であると予測することができる。このような予測の結果をユーザに通知することによって、ユーザは、出発時に傘を持っていなくても、目的地に到着するまでの間に傘を用意することができる。
【００６０】
また、道路の渋滞状況に関わらず、単に目的地の天気が変わった時に通知するようにしてもよい。この場合、天気が変わったか否かは、降水確率で判断してもよく、例えば降水確率が５０％以上であれば傘が必要であると予測してもよい。
【００６１】
また、例えば外部情報がインターネット上における目的地の施設や場所に関するホームページの情報である場合において、予測部４は、ホームページに示されている施設や場所で必要な装備に関する情報を、目的地に到着した時に必要な装備として予測するようにしてもよい。
【００６２】
以上のことから、本実施の形態２によれば、目的地到着時に目的地で必要な装備について、実施の形態１よりも適切な通知を行うことが可能となる。
【００６３】
＜実施の形態３＞
まず、本発明の実施の形態３による情報提供装置の構成について説明する。
【００６４】
図９は、本実施の形態３による情報提供装置１４の構成の一例を示すブロック図である。
【００６５】
図９に示すように、本実施の形態３による情報提供装置１４は、自車両情報取得部１５を備えることを特徴としている。その他の構成および動作は、実施の形態２と同様であるため、ここでは説明を省略する。
【００６６】
自車両情報取得部１５は、自車両に関する自車両情報を取得する。ここで、自車両情報は、自車両の外気温情報などを含む。
【００６７】
予測部４は、目的地関連情報取得部２にて取得された目的地関連情報、自車位置情報取得部３にて取得された現在位置情報、外部情報取得部１３にて取得された外部情報、および自車両情報取得部１５にて取得された自車両情報に基づいて、目的地に到着したときに必要な装備を予測する。
【００６８】
なお、自車両情報取得部１５は、エンジンのオンおよびオフに関する情報、ギアの情報、あるいは速度の情報を自車両情報として取得してもよい。この場合、予測部４にて予測された結果を通知するタイミングとしては、自車両のエンジンをオフ（ＡＣＣオフ）にした時、あるいは自車両が停車した時（例えば、自車両のギアがパーキングに設定されている時、あるいは自車両の速度０が一定時間続いた時）であってもよい。
【００６９】
次に、情報提供装置１４の動作について説明する。
【００７０】
図１０は、情報提供装置１４の動作の一例を示すフローチャートである。なお、図１０のステップＳ３１〜ステップＳ３４，ステップＳ３７は、図８のステップＳ２１〜ステップＳ２４，ステップＳ２６に対応しているため、ここでは説明を省略する。
【００７１】
ステップＳ３５において、自車両情報取得部１５は、自車両に関する自車両情報を取得する。
【００７２】
ステップＳ３６において、予測部４は、目的地関連情報取得部２にて取得された目的地関連情報と、自車位置情報取得部３にて取得された現在位置情報と、外部情報取得部１３にて取得された外部情報と、自車両情報取得部１５にて取得された自車両情報とに基づいて、目的地に到着した時に必要な装備を予測する。
【００７３】
具体的には、例えば自車両情報が自車両の外気温情報である場合において、自車両情報取得部１５は、目的地に到着した時の自車両の外気温情報を取得する。予測部４は、自車両情報取得部１５にて取得された外気温情報に基づいて、例えば車外が寒いと判断した場合はマフラーなどの防寒着が必要であると予測する。なお、防寒着が必要であるか否かの判断基準となる外気温は、例えば５℃以下の場合は防寒着が必要であると判断するなど、外気温の閾値を予め設定しておいてもよい。また、外気温の閾値は、ユーザが任意に設定してもよい。
【００７４】
また、例えば自車両情報が自車両のワイパーの動作履歴に関する情報である場合において、自車両情報取得部１５は、目的地に到着した時にワイパーの動作履歴に関する情報を取得する。予測部４は、ワイパーの動作履歴に基づいて、目的地に到着する直前までワイパーが動作していた場合は、目的地の天気は雨であると判断し、傘が必要であると予測する。
【００７５】
以上のことから、本実施の形態３によれば、目的地到着時に目的地で必要な装備について、実施の形態１，２よりも適切な通知を行うことが可能となる。
【００７６】
以上で説明した情報提供装置は、車載用ナビゲーション装置、すなわちカーナビゲーション装置だけでなく、車両に搭載可能なＰＮＤ（Portable Navigation Device）および携帯通信端末（例えば、携帯電話、スマートフォン、およびタブレット端末など）、並びにサーバなどを適宜に組み合わせてシステムとして構築されるナビゲーション装置にも適用することができる。この場合、情報提供装置の各機能あるいは各構成要素は、上記システムを構築する各機能に分散して配置される。
【００７７】
具体的には、一例として、情報提供装置の機能をサーバに配置することができる。例えば、図１１に示すように、自車両側に表示装置１７を配置し、サーバ１６に少なくとも目的地関連情報取得部２、自車位置情報取得部３、および予測部４を備えることによって情報提供システムを構築することができる。なお、目的地関連情報取得部２、自車位置情報取得部３、および予測部４の機能は、図１の目的地関連情報取得部２、自車位置情報取得部３、および予測部４の機能と同様である。また、サーバ１６は、必要に応じて図２，７，９に示すような各構成要素を備えるようにしてもよい。このとき、サーバ１６に備えられる各構成要素は、適宜にサーバ１６および表示装置１７に分散して配置するようにしてもよい。また、表示装置１７に限らず、予測部４にて予測された結果を音声出力するスピーカを備えてもよい。
【００７８】
また、他の一例として、情報提供装置の機能をサーバおよび携帯通信端末に配置することができる。例えば、図１２に示すように、自車両側に表示装置１７を備え、サーバ１８に少なくとも目的地関連情報取得部２および自車位置情報取得部３を備え、携帯通信端末１９に少なくとも予測部４を備えることによって情報提供システムを構築することができる。なお、目的地関連情報取得部２、自車位置情報取得部３、および予測部４の機能は、図１の目的地関連情報取得部２、自車位置情報取得部３、および予測部４の機能と同様である。また、サーバ１８および携帯通信端末１９は、必要に応じて図２，７，９に示すような各構成要素を備えるようにしてもよい。このとき、サーバ１８および携帯通信端末１９に備えられる各構成要素は、適宜に表示装置１７、サーバ１６、および表示装置１７に分散して配置するようにしてもよい。また、表示装置１７に限らず、予測部４にて予測された結果を音声出力するスピーカを備えてもよい。また、予測部４にて予測された結果に応じて実際に傘などの装備を提供する提供装置（図示せず）と連動可能に構成されてもよい。
【００７９】
上記の構成とした場合であっても、上記の実施の形態と同様の効果が得られる。
【００８０】
また、上記の実施の形態における動作を実行するソフトウェア（情報提供方法）を、例えばサーバや携帯通信端末に組み込んでもよい。
【００８１】
具体的には、一例として、上記の情報提供方法は、（ａ）目的地の施設または目的地の場所に関連する目的地関連情報を取得する工程と、（ｂ）自車両の現在位置情報を取得する工程と、（ｃ）工程（ａ）にて取得された目的地関連情報と、工程（ｂ）にて取得された現在位置情報とに基づき、目的地到着時に目的地で必要な装備を予測する工程とを備える。
【００８２】
上記より、上記の実施の形態における動作を実行するソフトウェアをサーバや携帯通信端末に組み込んで動作させることによって、上記の実施の形態と同様の効果が得られる。
【００８３】
なお、図１，２，７，９，１１，１２において、目的地関連情報取得部２、自車位置情報取得部３、予測部４、制御部８、探索部９、外部情報取得部１３、および自車両情報取得部１５の各々は、ソフトウェアに基づくＣＰＵを用いたプログラム処理を実行することによって実現される。また、可能であれば、目的地関連情報取得部２、自車位置情報取得部３、予測部４、制御部８、探索部９、外部情報取得部１３、および自車両情報取得部１５の各々を、ハードウェア（例えば、電気信号に対して特定の演算あるいは処理を行うように構成された演算／処理回路等）として構成するようにしてもよい。また、上記の両者を混在させてもよい。
【００８４】
なお、本発明は、その発明の範囲内において、各実施の形態を自由に組み合わせたり、各実施の形態を適宜、変形、省略することが可能である。
【符号の説明】
【００８５】
１  情報提供装置、２  目的地関連情報取得部、３  自車位置情報取得部、４  予測部、５  情報提供装置、６  入力部、７  地図情報取得部、８  制御部、９  探索部、１０  出力部、１１  携帯通信端末、１２  情報提供装置、１３  外部情報取得部、１４  情報提供装置、１５  自車両情報取得部、１６  サーバ、１７  表示装置、１８  サーバ、１９  携帯通信端末。
【図１】
0006373095.tif 000002
【図２】
0006373095.tif 000003
【図３】
0006373095.tif 000004
【図４】
0006373095.tif 000005
【図５】
0006373095.tif 000006
【図６】
0006373095.tif 000007
【図７】
0006373095.tif 000008
【図８】
0006373095.tif 000009
【図９】
0006373095.tif 000010
【図１０】
0006373095.tif 000011
【図１１】
0006373095.tif 000012
【図１２】
0006373095.tif 000013